(57)【要約】      （修正有）【課題】紐状の伸縮部材に足先を掛けて引き張る運動をする筋肉トレーニング器の足を掛ける部分を足先の位置を変え易い構造とする。【解決手段】上面に足を乗せる足置き部材に紐状又は帯状又は管状又は其の他の形状の伸縮部材の一方が取り付けられており、他方には、足掛け部が直接又は間接に形成されている筋肉トレーニング器の足掛け部において、該足掛け部の前方部分は或る幅と柔軟性を有する帯状又はシート状の面の形態を有しており、且つ環の一部を形成している。前方方向に引き張った状態で、引き伸ばされた伸縮部材上の軸線と直交する想定面に対して、頂部が頂部から上側又は／及び下側に２０ｍｍ隔たった位置から上側又は／及び下側に更に伸長する少なくとも１０ｍｍ以上の幅の面よりも、少なくとも２ｍｍ以上突出している、或る硬さを有する突起が環に沿って少なくとも３０ｍｍ以上の長さに亘り連続して又は断続して形成されている筋肉トレーニング器。【選択図】図１
2010125300.tif 000002
【特許請求の範囲】
【請求項１】
上面に足を乗せる足置き部を有する足置き部材の任意の箇所に少なくとも、或る長さを有し且つ柔軟性と伸縮性を有する紐状又は帯状又は管状又は其の他の形状の伸縮部材の一方が取り付けられており、該伸縮部材の他方には、足先を掛ける手段を有する足掛け部が直接又は間接に形成されている筋肉トレーニング器の足掛け部において、該足掛け部の前方部分は或る幅と柔軟性を有する帯状又はシート状の面の形態を有しており、且つ環の一部を形成している。該前方部分の或る箇所を力点にして前方方向に引き張った際、該力点において、引き伸ばされた伸縮部材上の軸線と直交する想定面に対して、頂部が頂部から上側又は／及び下側に２０ｍｍ隔たった位置から上側又は／及び下側に更に伸長する少なくとも１０ｍｍ以上の幅の面よりも、少なくとも２ｍｍ以上突出している、或る硬さを有する突起が環に沿って少なくとも３０ｍｍ以上の長さに亘り連続して又は断続して形成されており、その際、前記の少なくとも３０ｍｍ以上の長さの部分において、突起の頂部が前記の軸線に対し水平な方向で幅２５ｍｍの範囲内に形成されていることを特徴とする筋肉トレーニング器。
【請求項２】
伸縮部材の一方が足置き部材に取り付けられており、該伸縮部材の他方に伸縮性を有さない或る長さと柔軟性を有する紐状又は帯状又は其の他の形状の引き張り部材の一方が取り付けられており、該引き張り部材の他方には足を掛ける手段を有する足掛け部が形成されている。該足掛け部の前方部分の或る箇所を力点にして前方方向に引き張った際、該力点において、引き張られた引き張り部材上の軸線と直交する想定面に対して、頂部が頂部から上側又は／及び下側に２０ｍｍ隔たった位置から上側又は／及び下側に更に伸長する少なくとも１０ｍｍ以上の面よりも、少なくとも２ｍｍ以上突出している、或る硬さを有する突起が形成されていることを特徴とする請求項１に記載の筋肉トレーニング器。
【発明の詳細な説明】
【技術分野】
【０００１】  本発明は足腰の筋肉を鍛えるための筋肉トレーニング器に関する。
【背景技術】
【０００２】  従来、本発明に係るアイディアは本発明者によって数件出願されている。例えば特願２００５−２５７０２１又は特願２００８−２２０４７４などである。その概要は紐状の伸縮機能を有する部材を、足を乗せる台座に取り付けその先に足先を掛ける部分を形成し、其処に足先を掛けて引き張り、足腰の筋肉を鍛えるものである。本発明に係る足先を掛ける部分はその中で足掛け部として取り上げられている。従来、その部分の形状に就いては単に環状又は帯状又は袋状等の形態で示して来ているが、それらの形状では足先の出し入れや内側での方向転換などがやり難く、使用し難いと云う問題が有った。
【発明が解決しようとする課題】
【０００３】  本発明においては、使用中に足掛け部の中で容易に足先の位置を変える操作ができる構造にすることを課題とする。
【０００４】上記課題を解決する為に、本発明は次ぎの如き筋肉トレーニング器を提供する。
１、上面に足を乗せる足置き部を有する足置き部材の任意の箇所に少なくとも、或る長さを有し且つ柔軟性と伸縮性を有する紐状又は帯状又は管状又は其の他の形状の伸縮部材の一方が取り付けられており、該伸縮部材の他方には、足先を掛ける手段を有する足掛け部が形成されている筋肉トレーニング器の足掛け部において、該足掛け部の前方部分は或る幅と柔軟性を有する帯状又はシート状の面の形態を有しており、且つ環の一部を形成している。該前方部分の或る箇所を力点にして前方方向に引き張った際、該力点において、引き伸ばされた伸縮部材上の軸線と直交する想定面に対して、頂部が頂部から上側又は／及び下側に２０ｍｍ隔たった位置から上側又は／及び下側に更に伸長する少なくとも１０ｍｍ以上の幅の面よりも、少なくとも２ｍｍ以上に突出している、或る硬さを有する突起が環に沿って少なくとも３０ｍｍ以上の長さに亘り連続して又は断続して形成されており、その際、前記の少なくとも３０ｍｍ以上の長さの部分において、突起の頂部が前記の軸線に対し、水平な方向で幅２５ｍｍの範囲内に形成されていることを特徴とする筋肉トレーニング器。
２、伸縮部材の一方が足置き部材に取り付けられており、該伸縮部材の他方に伸縮性を有さない或る長さと柔軟性を有する紐状又は帯状又は其の他の形状の引き張り部材の一方が取り付けられており、該引き張り部材の他方に足を掛ける手段を有する足掛け部が形成されている。該足掛け部の前方部分の或る箇所を力点にして前方方向に引き張った際、該力点において、引き張られた引き張り部材上の軸線と直交する想定面に対して、頂部が頂部から上側又は／及び下側に２０ｍｍ隔たった位置から上側又は／及び下側に更に伸長する少なくとも１０ｍｍ以上の幅の面よりも、少なくとも２ｍｍ以上突出している、或る高さと或る硬さを有する突起が形成されていることを特徴とする上記第１項に記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するもので有り、本発明は以下の説明に限定されるものでは無い。
【０００６】  図１は本発明の一態様に係る筋肉トレーニング器の形態を示す斜視図である。図１に示す筋肉トレーニング器は上面に足を載せる足置き部２を有し、他の構成部材を取り付ける台座となる足置き部材１に或る長さを有する、柔軟性と伸縮性を有する紐状の伸縮部材３の一方を取り付け、もう一方には足先を掛ける為の環状で且つ帯状に形成された面５を有する、足掛け部４が取り付けられている。これを使用するには、足置き部材１の上面の足置き部２に片足を乗せて立ち、もう一方の足先を足掛け部４の内側に掛けて引き動かす。この様にすることで伸縮部材３が伸び、これにより張力が生じて足腰の運動ができると云う訳である。足を掛ける方向を足の甲の方向と足の裏の方向に変えることで前にも後にも引き伸ばすことができる。足先を左右交換することで左右の足腰を鍛えることができる。
【０００７】  次ぎに各部分の詳細に就いて説明する。図１において足置き部材１は少なくとも、足を乗せる足置き部２を上面に有し伸縮部材３を取り付けるための台座となるものである。図１においては板状の部材で形成されているが、その他の形状でも構わない。大きさに就いては任意であるが、実施上、縦３０ｃｍ以上、横２０ｃｍ以上、高さ１０ｃｍ以下程度が好ましい。材質も任意である。又、折り畳みや分割ができる構造でも良い。
【０００８】  次ぎに足置き部２であるが、足置き部材１の上面において、足を乗せ、且つ本筋肉トレーニング器を使用する広さを有する部分はどこでも足置き部２と見なすことができる。図１は一例を示しているがこれに限定される必要は無い。広さは任意であり、足置き部材１の上面に複数箇所配置されても良い。足置き部２の表面に小さな凹凸や孔を就けても良い。又、表面は平坦である必要は無い。
【０００９】  次ぎに伸縮部材３であるが、図１では或る長さと伸縮性を有した紐状の部材の形態で示しており、足置き部材１の伸縮部材取り付け部１２に取り付けてある。紐状の他には帯状や管状（チューブ状）等が選択できる。材質は任意であるが、実施上はゴム材が好ましい。形状及び寸法に関しても任意である。形状は両端部を有するものでも、全体が環状に形成されたものでも良い。又、伸縮部材２の伸び率は伸びない時を１とすると２以上の伸び率を有することが好ましい。実施上、太さは１ｃｍ以下程度が好ましい。伸縮部材３を足置き部材１に取り付ける方法は色々有るが、図１の様に直接取り付けても良いし、又、他のジョイント部材を介して間接に取り付けても良い。
【００１０】  次ぎに本発明の主題となる足掛け部４であるが、図１では本発明の全体の構成を示すために足先を入れて足の甲又は足の裏を掛けるための従来の方法を示したものであり、帯状で且つ環状の形態で示している。寸法は帯状の上下幅が１００ｍｍ以下程度で環の周囲が３０ｃｍ程度の大きさである。伸縮部材３は足掛け部４の中段辺りの伸縮部材取り付け部１２に取り付けられている。足掛け部４はこの中に足先を差し入れて引き張り、伸縮部材３を伸縮させる際に足先を保持する為の部位である。図１では伸縮部材３の端部に直接に取り付けた形態となっているが、他のジョイント部材又は他部材を介して取り付けても良い。又、本発明の足掛け部４に関しては実施上、足掛け部４の大きさと伸縮部材３の取り付け位置は経験的に決定されて良い。図１に示す従来の形状で使用すると、足先を内側で回転などさせて動かした際、足先の適切な位置に足掛け部４の内側面を宛がえない不具合が生じる。これを解決するのが本発明で示す足掛け部４である。これに就いては図２で説明する
【００１１】  図２は上記足掛け部４の構造を示す平面図（ａ）と正面図（ｂ）と側面図（ｃ）と断面図（ｄ）である。図２に示す足掛け部４は基本的には従来の構造を踏襲しており、柔軟性を有し且つ帯状の面５を有する部材で環状に形成されている。帯状以外ではシート状でも良い。ここで云う柔軟性とは足を掛けて引き張る際に面５が足に沿って自然に曲がることができる構造又は／及び材質であることを云う。面５の寸法は任意であるが実施上、環の周長は３０ｃｍ程度で幅は１０ｃｍ以下、厚みは５ｍｍ以下が好ましい。寸法に就いては従来と同様である。本発明においては足掛け部４の前方部分６に工夫を施している。本発明で云う前方部分６とは足掛け部４の最先端部８から左右に夫々環に沿って８ｃｍまでの範囲を云い、引き張る際に足先を押し付ける箇所を示すものである。この前方部分６の環状の面に沿って少なくとも３０ｍｍの長さに亘って、頂部９が其の下側の面５よりも想定面１８に対して、其の方向に突出した或る硬さを有する突起７を形成するものである。面５よりも突出すると云うのは足掛け部４の前方部分６の面５の或る箇所を力点として前方方向に引き張った状態の時であり、引き張っていない時はこの限りでは無い。この場合、引き張ると云うのは足先を入れて引き張る際の状態のことだけではなく、他の方法に依ってでも面５が引き張られた際の状態を表すものである。又、特許請求範囲には（引き伸ばされた伸縮部材上の軸線と直交する想定面）と記しているが、この軸線とは足掛け部４の前方部分６の或る箇所を力点にして前方に引き張った際、伸縮部材３が伸びて形成する方向軸であり、図２では軸線１７で示されている。この軸線１７は足掛け部４までを範囲とし足掛け部４を貫くものではない。又、想定面１８とは伸縮部材３が引き伸ばされた際の足掛け部４における突起７と面５との寸法関係を示すために想定した平面である。この想定面は図２では想定面１８で示されており、軸線１７上の任意の箇所に設定することができる。前記で云う、（軸線に対し直交する想定面）とは軸線１７に対し想定面１８が直角に交叉していると云うことである。又、足掛け部４の前方部分６の或る箇所を力点とすると云うことにおいて、前方部分における力点の範囲は任意であり狭い面であっても広い面であっても良い。又、前方部分６の複数箇所であっても構わない。次ぎに突起７と面５との関係に就いて図（ｄ）の断面図で其の効果から説明すれば、足置き部材４に足を入れて伸縮部材３を引き伸ばす際、足先を真っ直ぐ縦に入れて先端方向（図面上では横方向）に動かして行くと、足置き部材４の内側では先ず突起７に足が当たり、次ぎに足の凹み又は足の傾き又は突起の潰れ又は面５の曲がりなどが起こり、突起７の次ぎに足先が面５を押して行く動きとなる。弛めて足の接触位置を変える場合には、従来の形状では面５と足先が面接触となっている為に動かし難く、動かしても適切な位置のコントロールができず、弛め過ぎると足から滑り落ちてしまうと云った不具合が生じていた。本発明の構造に依れば、引き伸ばしを弛めた場合、突起７の頂部及び其の付近が支点となって部分的に足を支える様に働く為、位置の移動、即ちズラシを容易ならしめ、更に面５が作用点となって���先に接触するため足先での面５の捕捉が容易となり、面５のどの位置に足先が掛かるのか即座に足先で認知できるのである。即ち、本発明は面５に或る硬さを有する突起を形成し、それを支点とし、面５を作用点として使用する処に技術基調を有するものである。この様に突起７を支点とし、面５を作用点とすることで従来操作し難かった足先での操作を容易ならしめるものである。本発明では、突起７の頂部９が其の頂部９から上側又は／及び下側の方向に２０ｍｍ隔たった位置から更に其の上側又は／及び下側に伸長する少なくとも１０ｍｍ以上の幅の面５よりも前記の想定面１８に対して少なくとも２ｍｍ以上突出していることを要件とする。これは支点の位置と作用点の位置関係を限定するものであり、支点から作用点までの間隔を２０ｍｍ以上とし、作用点の幅を１０ｍｍ以上とするものである。また、２ｍｍ以上突出することで支点と作用点を足先で認識できる様にするものである。上述の２０ｍｍ及び１０ｍｍは平面上の寸法であり、正面図（ｂ）及び側面図（ｃ）の平面上で示す寸法である。突起７の上側又は／及び下側としているのは使用する際、上下を反対にして使用することもあり、又、上下に作用点を形成する場合もあるからである。図２（ｂ）と（ｃ）と（ｄ）では下側に面５が位置する形態となっている。又、寸法に就いては支点から作用点までを２０ｍｍ以上の寸法にしているのは、２０ｍｍ以内の部分は使用する際、足の構造に基づく支点と作用点の位置関係から突出の高さを特に限定する必用の無い部分であるからである。又、作用点の幅を１０ｍｍ以上としているのは１０ｍｍ以下では作用点としての面の幅が狭過ぎ、足先での操作ができなくなるので１０ｍｍ以上とするものである。実施上、作用点の幅は５０ｍｍ以上程度が好ましい。使用する際には差し入れた足の踝側に突起７が位置し、爪先側に面５が位置することが好ましい。又、１０ｍｍ以上の幅の作用点となる面５を突起７の上下に配置しても良い。又、面５は平滑な部材が好ましいが凹凸を有するものであっても、高さと硬さを有する突起７が支点として機能する範囲においては作用点即ち面５の形態は任意である。例えば面５が柔らかい毛で覆われた様な形態であるが、面５の表面の高さと突起７の高さがそれ程変らないような場合でも、環を形成している基底の面５が伸びの少ない部材で形成されている場合には、突起７と面５により支点と作用点を形成することができる。この様な支点と作用点の関係が成立する範囲に於いては、突起７と面５の形状及び材質は経験的に任意に決定されて良い。但し、突起７は或る硬さを必要とするので、実施上はゴム材等の或る硬さと柔軟性を有する様なものが好ましい。又、実施上、面５は伸びの少ない材質が選定されることが必要である。又、突起７の頂部９は足を動かす際、不要な摩擦を軽減するために或る幅以下であることが好ましい。又、突起７の頂部９は軸線１７に対して平行な方向で、突起７の形成される３０ｍｍ以上の長さの部分において、２５ｍｍの幅の範囲に形成されることが必要であり、これが本発明の要件となっている。２５ｍｍ以上では支点の上下へのバラツキが生じて使用し辛いものとなってしまうからである。実施上は１０ｍｍ以下が好ましい。又、���平方向における、軸線１７に対する頂部９の上下方向の形成位置は任意であるが、実施上は上下夫々３０ｍｍ以内程度に形成されることが好ましい。この寸法に就いては経験的に決定されて良い。又、突起７の断面形状は任意であるが、実施上は図３に示す様な断面形状が選択できる。
【００１２】  図３は突起７と面５の断面を部分的に示したものである。断面図（ａ）は棒状であり、（ｂ）は半円形であり、（ｃ）は台形であり、（ｄ）はチューブ形（管形）であり、（ｅ）はチューブの一部が切れた形であり、（ｆ）は面５を凸形に形成し、突起を形成した形状となっている。形状の選択は経験的に決定されて良い。又、材質は任意であるが、実施上は前述の如く、或る硬さと弾力性を有するゴム材などが好ましい。又、突起７は面５と一体化していても良いし、面５とは別の部材で形成されていても良い。又、足掛け部４から外せる構造であっても良い。又、面５と同様、突起７にも小さな凹凸を複数形背して滑り止めとしても良い。又、面５と突起７に重さを軽くするために複数の孔を形成しても良い。面５及び突起７の寸法は上記に規定している以外は任意である。任意である部分の寸法及び材質は経験的に決定されて良い。又、図（ａ）において突起７は足掛け部４の最先端部８から面５に沿って左右夫々に足掛け部４の中央部辺りまで伸長しているが、前述の如く、本発明においては、少なくとも３０ｍｍ以上の長さに亘って形成されることが必要である。この長さとは面５の長さを示すものである。実施の長さに就いては経験的に決定されて良い。又、実施上、形成される位置は足掛け部４の最先端部８の内側面を含むことが好ましい。又、図２では連続に繋げて伸長しているが、或る間隔を有して断続して形成しても良い。この点に就いては図４で示す。
【００１３】  図４は足置き部４の別の態様を示す平面図である。図４に示す足置き部４は突起７を足掛け部の内側に或る間隙を有した複数の突起を断続的に形成した図である。この様にしても頂部９は支点の役割を果たすことができる。
【００１４】  図５は本発明に係る筋肉トレーニング器の別の態様の形態を示す斜視図（ａ）と部分の形態を示す斜視図（ｂ）である。図５に示す筋肉トレーニグ器は図１に示した筋肉トレーニング器の伸縮部材３と足掛け部４との間に或る長さと柔軟性を有する紐状の引き張り部材１０を繋ぎ部１３で接続して取り付け、引き張り部材１０を足掛け部４に形成された引き張り部材取り付け部１６に取り付け、更に足置き部材１に引き張る方向を変換するための方向変換部１１を形成した図である。この様な構成でも図１の場合と同様の筋肉トレーニングをすることができる。図５においても足掛け部４は図３で示す形態を選択できる。本態様において突起７は足掛け部４が引き張られた際に引き張り部材１０が形成する引き張り部材上の軸線１７に直交する想定面１８に対して、其の下側に位置する面５より引き張った状態で少なくとも２ｍｍ以上突出していることが要件となる。これは段落（００１１）で説明した伸縮部材３上の軸線１７が引き張り部材１０上の軸線１７として置き替わったものであるので図５では図示していない。引き張り部材１０は紐状の他、帯状でも又は其の他の形状でも構わない。又、方向変換部１１は図５では棒状の形状で示されているが、この部分に伸縮部材３又は引き張り部材１０のいずれかを宛がって引き張ることにより引き張る方向を変換することができる。実施上、方向変換部１１は足置き部材１の任意の箇所に任意の方向で形成することができる。又、図（ｂ）で示す様に、方向変換部１１を回転する部分を有する回転ローラー１４で形成しても良い。この回転ローラー１４は軸部材１５を芯にしてその外側に筒状の回転ローラーを装着し、軸部材１５の周囲を回転する構造となっている。この様にすると宛がった伸縮部材又は引き張り部材をスムーズに方向を変換することができる。実施上、回転ローラーにベアリングを使用しても良い。又、本態様において伸縮部材３及び引き張り部材１０及び方向変換部１１を、足置き部材１に足を形成して裏面に配置しても良い。この様にすると足置き部材１の上面すなわち足置き部２を広く使用することができる。伸縮部材３の足置き部材への接続及び引き張り部材１０の伸縮部材３及び足掛け部４への接続は他のジョイント部材を介して接続しても良い。又、引き張り部材１０の寸法及び材質は任意である。実施上、太さは５ｍｍ程度、長さは１ｍ以内、材質は強度を有する繊維質のものが好ましい。
【００１５】  上記において、本発明の筋肉トレーニング器の各部の好ましい形状及び寸法及び材質に就いて説明したが、上記説明に限定されること無く形状、寸法、材質は適宜経験的に決定できる。
【発明の効果】
【００１６】  本発明の筋肉トレーニング器に依れば、足先を動かした際に足先の適切な位置に足掛け部を掛けることができる。
【図面の簡単な説明】
【００１７】
【図１】  本発明の一態様に係る筋肉トレーニング器の全体の形態を示す斜視図である。
【図２】  本発明の一態様に係る筋肉トレーニング器の足掛け部の構造を示す平面図（ａ）と正面図（ｂ）と断面図（ｃ）である。
【図３】  本発明の一態様に係る筋肉トレーニング器の足掛け部の構造を示す断面図（ａ）と（ｂ）と（ｃ）と（ｄ）と（ｅ）と（ｆ）である。
【図４】  本発明の一態様に係る筋肉トレーニング器の足掛け部の構造を示す平面図である。
【図５】  本発明の一態様に係る筋肉トレーニング器の全体の形態を示す斜視図である。
【符号の説明】
【００１８】１  足置き部材
２  足置き部
３  伸縮部材
４  足掛け部
５  面
６  前方部分
７  突起
８  最先端部分
９  頂部
１０  引き張り部材
１１  方向変換部
１２  伸縮部材取り付け部
１３  繋ぎ部
１４  回転ローラー
１５  軸部材
１６  引き張り部材取り付け部
１７  軸線
１８  想定面
【図１】
2010125300.tif 000003
【図２】
2010125300.tif 000004
【図３】
2010125300.tif 000005
【図４】
2010125300.tif 000006
【図５】
2010125300.tif 000007